(57)【要約】【課題】消毒薬を患部に対して的確に塗布できるとともに、使用の途中で綿棒を誤って消毒薬に浸漬する恐れが無く、安全で経済的な消毒用綿棒を提供する。【解決手段】中空棒状部材からなる軸部２の一端（先端）に脱脂綿３を、軸部２の開口部を覆うように軸部２の外側面に巻き付けて取り付ける。消毒薬を脱脂綿３に含浸する際には、軸部２の後端開口部から内径部に消毒薬を注入する。【選択図】        図１
2004195123.tif 000002
【特許請求の範囲】
【請求項１】
消毒薬を収容した容器の小径突出口部が挿入可能な内径を有する中空棒状部材の一端外側部に、その中空開口部を覆うように脱脂綿等の消毒薬含浸用部材を取り付けたことを特徴とする消毒用綿棒。
【請求項２】
前記中空棒状部材は、前記消毒薬含浸用部材を取り付けない端部をテーパ状に拡開したことを特徴とする請求項１記載の消毒用綿棒。
【発明の詳細な説明】
【０００１】
【発明の属する技術分野】
本発明は、消毒薬に浸漬することなく脱脂綿に消毒薬を含浸することができる消毒用綿棒に関する。
【０００２】
【従来の技術】
容器に収容され市販されている家庭用消毒薬を用いる際には、手や摂子を介して保持した脱脂綿あるいは綿棒の脱脂綿に消毒薬を含浸させて患部に塗布する場合や、容器から傷などの患部に消毒薬を直接塗布したり滴下したりする場合がある。消毒薬を収容している容器には、先端が細くなっている口部を設けたり、口部の先端にスポンジを取り付けているものがあり、容器から直接消毒薬を患部に塗布する利便性が考慮されたりしている。
【０００３】
一般に、綿棒は中実棒状の軸部に脱脂綿が紡錘状に取り付けられており、使用に際しては、脱脂綿を消毒薬に浸漬して消毒薬を脱脂綿に含浸させている。従来、図６に示すように、綿棒１０には、脱脂綿１１に消毒薬などの液剤を予め含浸させ、１本毎に脱脂綿１１が凹状のカバー部１２とシート部１３により形成される包装体１４の内部に収容されているものがあり、カバー部１２からシート部１３を剥離することで、消毒薬を脱脂綿１１に浸漬することなく使用できるようにしている。（例えば、特許文献１参照）。
【０００４】
また、図７に示すように、一端に頭部（綿部）２１を取り付けた綿棒柄部２２の他端を鋭角にするとともに綿棒柄部２２の中心に細孔２３を設けた綿棒２０があり、この綿棒２０は筒状体２５の開口部中心に外蓋２４を介して固定されるとともに、この筒状体２５を塗布液（薬液）２６の充填した瓶状容器２６の瓶頸部外面に固定し、または摺動可能（図７（ａ）参照）あるいは螺動可能（図７（ｂ）参照）に取り付けている。綿棒２０の使用に際しては、筒状体２５が瓶頸部に固定されているときは綿棒２０のみを下降し、また、摺動あるいは螺動可能に取り付けられているときは筒状体２５を摺動あるいは螺動して筒状体２５と一緒に綿棒２０を下降し、瓶状容器２６の閉蓋２８を綿棒柄部２２の鋭角端部で突き破って綿棒柄部２２を薬液２７に入れることにより、薬液２７は綿棒柄部２２に設けた細孔２３を通り綿部２１に含侵されるというものである。（例えば、特許文献２参照）。
【０００５】
【特許文献１】
特開２０００−２３７２３５号公報（第３頁、図２）
【特許文献２】
実開昭６３−６２１５１号（明細書第３頁、第１図）
【０００６】
【発明が解決しようとする課題】
しかしながら、手で保持した脱脂綿に消毒薬を含浸させる際には、消毒薬に色が付いていると、その色が手に付く恐れがあるとともに、付いた場合には洗っても落ちずらく、長らくその色が手に付いたままとなる問題点があった。また、脱脂綿を摂子で挟んで保持する場合には、脱脂綿に加え摂子を購入するため経済的な負担となるとともに管理も容易でなく、使用後の摂子の取り扱いが面倒であるという問題点があった。
【０００７】
また、市販の消毒薬を容器から患部に直接塗布する場合、容器を下に向けると消毒薬が垂れて患部にうまく当たらないという問題点があった。さらに、口部を先細りにした容器から消毒薬を患部に塗布する場合には患部に塗布し易いが、口部を患部に触れた状態で塗布したり、触らないように患部に接近させようとしても不注意で接触する場合があり、患部の汚れや雑菌が口部に移る問題点があった。また、口部にスポンジが設けられている場合は、消毒薬をスポンジに含浸させそのスポンジを患部に接触して消毒薬を塗布するため、スポンジに患部の汚れや雑菌が付着する問題点があった。そのため、他の人が使用する場合に限らず、同一人であっても消毒薬を再度使用する際に気持ち悪さが生じ、その使用にためらう気分が出て、消毒薬が残っていても新たに購入する場合があり、経済的に問題が生じる場合があった。
【０００８】
また、綿棒を用いて患部に消毒薬を塗布する際には、前記した問題は生じないが、市販されている綿棒は脱脂綿部が小さく多量の消毒薬を含ませることができず、患部の領域が大きいと１回の含浸で患部の全域に消毒薬を塗布できない場合があった。この場合、新たな綿棒を使用する必要があるが、今まで使っていた綿棒を不注意で消毒薬内に浸漬して継続使用する場合あり、患部の汚れや雑菌が消毒薬に移る問題があった。特許文献１の綿棒１０にあっては、そのような問題が生じないが、１本ごとに脱脂綿１１がカバー部１２とシート部１３からなる包装体１４に収容されているので、綿棒１０が高価となる問題があった。
【０００９】
また、特許文献２の綿棒２０では、綿棒柄部２２に細孔２３を設け、毛管現象により瓶状容器２６の薬液２７を綿部２１に含侵させているが、薬液２７が少なくなると綿部２１にまで上昇しない可能性があり、薬液２７が綿部２１に含侵しなくなる問題点があった。さらに、綿棒２０は瓶状容器２６の付属品としての意味合いを持っており、瓶状容器２６に収容した薬液２７を一回の使用で使い切らないと、一度使用した綿棒２０を再び瓶状容器２６に取り付けて使用しなければならい問題があった。また、薬液２７を含侵させた綿棒２０を筒状体２５から取り外して指で把持しつつ使用する場合、綿棒柄部２２の鋭角端部により指部等を傷つける恐れがある問題があった。
【００１０】
本発明は、前記従来技術の問題点に鑑みてなされたもので、消毒薬を患部に対して的確に塗布できるとともに、使用の途中で綿棒を誤って消毒薬に浸漬する恐れが無く、安全で経済的な消毒用綿棒を提供することを目的とする。
【００１１】
【課題を解決するための手段】
前記目的を達成するために、第１の発明は、消毒薬を収容した容器の小径突出口部が挿入可能な内径を有する中空棒状部材の一端外側部に、その中空開口部を覆うように脱脂綿等の消毒薬含浸用部材を取り付けたことを特徴とする。
【００１２】
また、第２の発明は、第１の発明にあって、前記中空棒状部材は、前記消毒薬含浸用部材を取り付けない端部をテーパ状に拡開したことを特徴とする。
【００１３】
前記第１の発明にあっては、脱脂綿等の消毒薬含浸用部材を取り付けた反対側の開口部に消毒薬を収容した容器の小径突出口部を挿入して中空棒状部材の内径部に消毒薬をこぼすことなく確実に注入し、消毒薬含浸用部材に消毒薬を含浸できる。
【００１４】
前記第２の発明にあっては、消毒薬を注入する開口端部を拡開することで、容易に消毒薬を中空棒状部材の内径部に注入できる。その他の作用は、第１の発明と同様である。
【００１５】
【発明の実施の形態】
（実施の形態１）
本発明の実施の形態１を図１および図２に基づいて説明する。図１は本実施の形態の消毒用綿棒を示す正面図、図２は図１の平面図である。
【００１６】
本実施の形態の消毒用綿棒１は、軸部２がプラスチック製の中空棒状部材からなり、その軸部２の一端側部に消毒薬含浸用部材としての脱脂綿３が中空棒状部材の開口部を覆うように取り付けられている。軸部２は、直径が０.５〜０.７ｃｍ（肉厚は極めて薄く、内径も略同じ）程度で、消毒薬を収容して市販されている消毒薬容器の小径突出口部を軸部２の端部開口から挿入できる大きさになっているとともに、軸部２の長さは手で持って患部に消毒薬を的確かつ容易に塗布しやすい長さとなっており、５〜１０ｃｍ程度が好ましい。軸部２を形成するプラスチックの材質としては種々のものが考えられるが、発ガン性がなく安全性を有するとともに曲がらない固さがあり薄い肉厚で筒状に成形可能なポリプロピレン、ポリエチレン等が好ましい。なお、撥水性を持たせた紙材であっても良い。
【００１７】
脱脂綿３は、患部に消毒薬を塗布する際に軸部２の一端部（先端部）が患部が触れないように、軸部２の先端より０.５ｃｍ程度突出させるとともに、軸部２の外側部に３〜４ｃｍ程度の長さに先端側が厚くなるように巻き付けられている。このとき、脱脂綿３は容易に軸部２から外れないように取り付けられており、取り付け部に細かな凸部を多数形成しても良いし、螺旋状の凸部を周設あるいは軸部２の軸線と直交させて平行な凸部を複数段周設しても良い。なお、消毒薬含浸用部材としては、脱脂綿３の他に、ガーゼ、ウール、絹、レーヨン、ポリエステル、アクリル樹脂、ナイロン、ウレタン樹脂、ポリオレフィン等を用いることができる。
【００１８】
前記消毒用綿棒１を使用する際には、まず、脱脂綿３を取り付けていない軸部２の後端側から内径部に消毒薬を注入し、その内径部を伝わらせて消毒薬を脱脂綿３に含浸させる。このとき、消毒薬を収容している容器の小径突出口部を軸部２の内径部に差し込んで行い、図３に示すように、軸部２を略垂直に立てて容器６の小径突出口部７より軸部２の内径部に消毒薬を滴下あるいは流動状態で注入しても良いし、図４に示すように、軸部２を傾斜させつつ容器６の小径突出口部７を軸部２の後端に当て付けて軸部２の内径部に消毒薬を流し込んでも良い。
【００１９】
本実施の形態の消毒用綿棒１によれば、軸部２の内径部を通じて脱脂綿３に消毒薬を含浸させるので、脱脂綿３と消毒薬が直接接触することがなく、新たな消毒用綿棒１を使用することで複数の人が同じ容器の消毒薬を気兼ねなく使用することができる。また、患部の領域が大きくて１回の含浸では不十分な場合であっても、同一人である限り、使用している消毒用綿棒１の脱脂綿３に再び消毒薬を含浸させて継続使用することもでき、使用していた消毒用綿棒１を捨てる必要が無くなる。また、軸部２内への消毒薬の注入量を目視できるので、患部の大きさに応じた消毒薬の量を脱脂綿３に含浸させることができる。さらに、脱脂綿３は使用に際して軸部２より容易に外れないように取り付けられているが、使用後には容易に軸部２から取り外すことができるので、プラスチック製の軸部２と脱脂綿３を分別して廃棄することができ、環境に悪影響を与えることがない。
【００２０】
（実施の形態２）
本発明の実施の形態２を図５に基づいて説明する。図５は本実施の形態の消毒用綿棒を示す正面図である。
【００２１】
本実施の形態の消毒用綿棒８は、消毒薬を注入する側の軸部９の端部がテーパ状９ａに拡開して構成され、消毒薬の注入が容易に行えるようになっている。その他の構成は実施の形態１と同様であり、その他の作用・効果も実施の形態１と同様である。
【００２２】
【発明の効果】
以上説明したように、本発明の請求項１の消毒用綿棒によれば、中空棒状部材の端部から内径部に消毒薬を注入することで消毒薬含浸用部材と消毒薬を直接接触させることなく、消毒薬を容器から容易かつ的確に消毒薬含浸用部材へ含浸させることができる。そのため、一般に市販されている消毒薬を容器から直接患部に塗布する際に生じる不具合、例えば患部の汚れや細菌等が容器に移ることを防ぐことができるとともに、後に再び使用する際の気持ちの悪さや他人が使用した後の使用がはばかられることから、消毒薬を使い切らない状態で新たな消毒薬を購入するということもなくなり、期間内であれば安全な状態を維持し消毒薬を使い切ることができ、経済的である。
【００２３】
また、本発明の請求項２の消毒用綿棒によれば、テーパ状に拡開した開口部から消毒薬を極めて容易に中空棒状部材内へ注入して消毒薬含浸用部材に含浸させることができる。
【図面の簡単な説明】
【図１】本発明の実施の形態１を示す正面図である。
【図２】図１の平面図である。
【図３】本発明の実施の形態１の消毒用綿棒に設けた脱脂綿に消毒薬を含浸させる一例を示す斜視図である。
【図４】本発明実施の形態１の消毒用綿棒に設けた脱脂綿に消毒薬を含浸させる一例を示す斜視図である。
【図５】本発明の実施の形態２を示す正面図である。
【図６】従来技術の綿棒を示す断面図である。
【図７】従来技術の綿棒を示す断面図である。
【符号の説明】
１，８  消毒用綿棒
２，９  軸部
３  脱脂綿
６  容器
７  口部
９ａ  テーパ部
【図１】
2004195123.tif 000003
【図２】
2004195123.tif 000004
【図３】
2004195123.tif 000005
【図４】
2004195123.tif 000006
【図５】
2004195123.tif 000007
【図６】
2004195123.tif 000008
【図７】
2004195123.tif 000009